(57)【要約】【課題】シャッタを閉じた状態で確実にロックして感光性記録媒体の曝光を防止することができる信頼性の高い感光性記録媒体用カートリッジを提供する。【解決手段】感光性記録媒体用カートリッジは、ディスク状の感光性記録媒体４を収容し、感光性記録媒体４の一部を外部に露呈させる開口１８，１９を有するカートリッジ本体１１と、カートリッジ本体１１の外側に組み込まれて開口１８，１９を開閉するシャッタ１３と、シャッタ１３を閉じ位置でロックするロック部材６３とを備え、ロック部材６３には、シャッタ１３の閉じ方向に傾斜するように形成された傾斜面であるフック部６３ｆが形成され、シャッタ１３にはフック部６３ｆと略平行に形成され、シャッタ１３が閉じ位置にある状態でフック部６３ｆに係合する係合傾斜面５６ｆが形成されている。【選択図】図１２
2007066387.tif 000002
【特許請求の範囲】
【請求項１】
ディスク状の感光性記録媒体と、前記感光性記録媒体を回転自在に収容すると共に前記感光性記録媒体の中心と記録面とを外部に露呈させる開口を有するカートリッジ本体と、前記カートリッジ本体の外側に組み込まれて前記開口を閉じる閉じ位置と前記開口を開放する開き位置との間で移動自在に配設されたシャッタと、前記シャッタを覆うように前記カートリッジ本体に取り付けられた遮光板とを備え、前記遮光板が前記カートリッジ本体とは異なる材質で構成され、かつ、前記カートリッジ本体に対する位置が非対称となるように設けられている感光性記録媒体用カートリッジに、記録再生を行う駆動装置であって、
前記カートリッジ本体の一部を検出し、検出領域が該カートリッジ本体の表面及び裏面を反転させて状態で同じ位置となり、一方の面で前記遮光板の一部が配置された部位を検出し、かつ、他方の面で前記カートリッジ本体の一部が配置される部位を検出することで、前記カートリッジ本体の表面と裏面とを判別する検出部材を備えていることを特徴とする駆動装置。
【請求項２】
前記検出部材が、前記遮光板の一部及び前記カートリッジ本体の一部に検出光を照射した際に反射される光に基づいて判別を行う反射型検出部を備えていることを特徴とする請求項１に記載の駆動装置。
【請求項３】
前記感光性記録媒体は、ホログラム記録媒体であることを特徴とする請求項１又は２に記載の駆動装置。
【請求項４】
ディスク状の感光性記録媒体と、前記感光性記録媒体を回転自在に収容すると共に前記感光性記録媒体の中心と記録面とを外部に露呈させる開口を有するカートリッジ本体と、前記カートリッジ本体の外側に組み込まれて前記開口を閉じる閉じ位置と前記開口を開放する開き位置との間で移動自在に配設されたシャッタと、前記シャッタを覆うように前記カートリッジ本体に取り付けられた遮光板とを備え、前記遮光板が前記カートリッジ本体とは異なる材質で構成され、かつ、前記カートリッジ本体に対する位置が非対称となるように設けられている感光性記録媒体用カートリッジに、記録再生を行う駆動方法であって、
前記カートリッジ本体の一部を検出し、検出領域が該カートリッジ本体の表面及び裏面を反転させて状態で同じ位置となり、一方の面で前記遮光板の一部が配置された部位を検出し、かつ、他方の面で前記カートリッジ本体の一部が配置される部位を検出することで、前記カートリッジ本体の表面と裏面とを判別することを特徴とする駆動方法。
【請求項５】
前記遮光板の一部及び前記カートリッジ本体の一部に検出光を照射した際に反射される光に基づいて判別を行うことを特徴とする請求項４に記載の駆動方法。
【請求項６】
前記感光性記録媒体は、ホログラム記録媒体であることを特徴とする請求項４又は５に記載の駆動方法。
【請求項７】
ディスク状の感光性記録媒体と、前記感光性記録媒体を回転自在に収容すると共に前記感光性記録媒体の中心と記録面とを外部に露呈させる開口を有するカートリッジ本体と、前記カートリッジ本体の外側に組み込まれて前記開口を閉じる閉じ位置と前記開口を開放する開き位置との間で移動自在に配設されたシャッタと、前記シャッタを覆うように前記カートリッジ本体に取り付けられた遮光板とを備え、前記遮光板が前記カートリッジ本体とは異なる材質で構成され、また、前記カートリッジ本体に対する位置が非対称となるように設けられている感光性記録媒体用カートリッジであって、
前記カートリッジ本体の面上に検出領域が規定され、前記カートリッジ本体の表面及び裏面を反転させた状態で、表面及び裏面のうち一方の面では前記検出領域に前記遮光板が配置され、他方の面では前記検出領域に前記カートリッジ本体が配置されることを特徴とする感光性記録媒体用カートリッジ。
【発明の詳細な説明】
【技術分野】
【０００１】
本発明は、感光性記録媒体を収容する感光性記録媒体用カートリッジを使用する駆動装置、駆動方法、及び、感光性記録媒体用カートリッジに関し、特に、カートリッジを駆動装置に装填した際にカートリッジ本体の表面と裏面とを判別する技術に関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。また、カートリッジが、インナーケース、アウターケース、およびシャッタを有し、該シャッタをロックするロック機構を備えたものが知られている（例えば、特許文献３参照）。
【０００３】
特許文献１に記載の発明は、DVD-RAMのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２に記載されているカートリッジと同様の構成を有しているものと考えられる。
【０００４】
特許文献２に記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在な状態で収容するカートリッジ本体と、このカートリッジ本体に設けられ、記録媒体の一部を外部に露呈させる開口と、この開口を開閉するシャッタとを備えたカートリッジが記載されている。
【０００５】
特許文献３に記載の発明は、シャッタから延びて先端に係止爪を有する弾性片を備えており、該係止爪をアウターケースに形成された第１係合凹部または第２係合凹部に係合させて、シャッタを閉じ位置または開き位置で保持するロック機構が設けられている。
【０００６】
【特許文献１】特開２００４―０２９４７６号公報
【特許文献２】特開２００３―３１７４２２号公報
【特許文献３】特開平８―５５４５６号公報
【発明の開示】
【発明が解決しようとする課題】
【０００７】
ところで、ホログラム記録媒体は、両面にホログラム記録層が設けられたものがある。また、このようなホログラム記録層を収容するカートリッジは、表面と裏面とを反転させて記録再生用の駆動装置に装填することで、ホログラム記録層の両面に記録再生を行うことができる構成のものがある。両面に記録が行えるホログラム記録媒体を収容するカートリッジを使用する場合、駆動装置がカートリッジの表面と裏面とを判別して、シャッタの開閉動作等を行う必要がある。しかし、カートリッジ本体に表面と裏面とを識別するための部材を別途設けると、カートリッジの製造コストが増加する点で好ましくなく、改善の余地があった。
【０００８】
本発明は、上記事情に鑑みてなされたもので、その目的は、カートリッジの表面と裏面とを簡単に判別することができる、駆動装置、駆動方法、及び、感光性記録媒体用カートリッジを提供することにある。
【課題を解決するための手段】
【０００９】
本発明の上記目的は、下記感光性記録媒体用カートリッジによって達成される。
（１）  ディスク状の感光性記録媒体と、前記感光性記録媒体を回転自在に収容すると共に前記感光性記録媒体の中心と記録面とを外部に露呈させる開口を有するカートリッジ本体と、前記カートリッジ本体の外側に組み込まれて前記開口を閉じる閉じ位置と前記開口を開放する開き位置との間で移動自在に配設されたシャッタと、前記シャッタを覆うように前記カートリッジ本体に取り付けられた遮光板とを備え、前記遮光板が前記カートリッジ本体とは異なる材質で構成され、かつ、前記カートリッジ本体に対する位置が非対称となるように設けられている感光性記録媒体用カートリッジに、記録再生を行う駆動装置であって、前記カートリッジ本体の一部を検出し、検出領域が該カートリッジ本体の表面及び裏面を反転させて状態で同じ位置となり、一方の面で前記遮光板の一部が配置された部位を検出し、かつ、他方の面で前記カートリッジ本体の一部が配置される部位を検出することで、前記カートリッジ本体の表面と裏面とを判別する検出部材を備えていることを特徴とする駆動装置。
【００１０】
上記構成の駆動装置は、記録再生のために装填されたカートリッジ本体の一部を検出部材で検出するものである。また、装填されるカートリッジは、カートリッジ本体に対して非対称となる位置に遮光板が設けられている。駆動装置は、カートリッジ本体を検出する際に、該カートリッジ本体に対して非対称となる位置に設けられた遮光板における、非対称の部位を検出領域とする。すると、カートリッジ本体の表面と裏面とのうち一方の面では検出領域に遮光板が位置し、他方の面ではカートリッジ本体が位置する。そして、カートリッジを反転させて駆動装置に装填すると、同一の検出領域によって検出される部材が異なる。ここで、遮光板がカートリッジ本体とは異なる材質で構成されているため、材質の違いに基づいて検出値が異なる特性を有する検出部を使用することで、遮光板とカートリッジ本体とを区別することができ、すなわち、カートリッジ本体の表面と裏面とを判別することができる。こうすれば、カートリッジに表面と裏面とをそれぞれ判別するための部材を設ける必要がなく、カートリッジの表面と裏面とを簡単に判別することができる。
【００１１】
（２）  前記検出部材が、前記遮光板の一部及び前記カートリッジ本体の一部に検出光を照射した際に反射される光に基づいて判別を行う反射型検出部を備えていることを特徴とする上記（１）に記載の駆動装置。
【００１２】
上記構成の駆動装置は、装填されたカートリッジ本体の検出領域に反射型検出部から検出光を照射し、遮光板又はカートリッジ本体に反射された光を検出することで遮光板とカートリッジ本体との材質に基づいてカートリッジ本体の表面と裏面との判別を行うことができる。
【００１３】
（３）前記感光性記録媒体は、ホログラム記録媒体であることを特徴とする上記（１）又は（２）に記載の駆動装置。
【００１４】
上記構成の駆動装置によれば、両面記録用のホログラム記録媒体を収容保持するカートリッジを装填させた際に、カートリッジ本体の表面と裏面とを簡単に判別することができ、ホログラム記録媒体に記録再生を性格に行うことができる。
【００１５】
（４）ディスク状の感光性記録媒体と、前記感光性記録媒体を回転自在に収容すると共に前記感光性記録媒体の中心と記録面とを外部に露呈させる開口を有するカートリッジ本体と、前記カートリッジ本体の外側に組み込まれて前記開口を閉じる閉じ位置と前記開口を開放する開き位置との間で移動自在に配設されたシャッタと、前記シャッタを覆うように前記カートリッジ本体に取り付けられた遮光板とを備え、前記遮光板が前記カートリッジ本体とは異なる材質で構成され、かつ、前記カートリッジ本体に対する位置が非対称となるように設けられている感光性記録媒体用カートリッジに、記録再生を行う駆動方法であって、前記カートリッジ本体の一部を検出し、検出領域が該カートリッジ本体の表面及び裏面を反転させて状態で同じ位置となり、一方の面で前記遮光板の一部が配置された部位を検出し、かつ、他方の面で前記カートリッジ本体の一部が配置される部位を検出することで、前記カートリッジ本体の表面と裏面とを判別することを特徴とする駆動方法。
【００１６】
本発明に係る駆動方法によれば、カートリッジ本体の表面と裏面とを簡単に判別することができる。
【００１７】
（５）前記遮光板の一部及び前記カートリッジ本体の一部に検出光を照射した際に反射される光に基づいて判別を行うことを特徴とする上記（４）に記載の駆動方法。
【００１８】
上記の駆動方法は、装填されたカートリッジ本体の検出領域に反射型検出部から検出光を照射し、遮光板又はカートリッジ本体に反射された光を検出することで遮光板とカートリッジ本体との材質に基づいてカートリッジ本体の表面と裏面との判別を行うことができる。
【００１９】
（６）前記感光性記録媒体は、ホログラム記録媒体であることを特徴とする上記（４）又は（５）に記載の駆動方法。
【００２０】
上記構成の駆動装置によれば、両面記録用のホログラム記録媒体を収容保持するカートリッジを装填させた際に、カートリッジ本体の表面と裏面とを簡単に判別することができ、ホログラム記録媒体に記録再生を性格に行うことができる。
【００２１】
（７）ディスク状の感光性記録媒体と、前記感光性記録媒体を回転自在に収容すると共に前記感光性記録媒体の中心と記録面とを外部に露呈させる開口を有するカートリッジ本体と、前記カートリッジ本体の外側に組み込まれて前記開口を閉じる閉じ位置と前記開口を開放する開き位置との間で移動自在に配設されたシャッタと、前記シャッタを覆うように前記カートリッジ本体に取り付けられた遮光板とを備え、前記遮光板が前記カートリッジ本体とは異なる材質で構成され、また、前記カートリッジ本体に対する位置が非対称となるように設けられている感光性記録媒体用カートリッジであって、前記カートリッジ本体の面上に検出領域が規定され、前記カートリッジ本体の表面及び裏面を反転させた状態で、表面及び裏面のうち一方の面では前記検出領域に前記遮光板が配置され、他方の面では前記検出領域に前記カートリッジ本体が配置されることを特徴とする感光性記録媒体用カートリッジ。
【００２２】
本発明にかかるカートリッジは、カートリッジ本体上の規定された検出領域に遮光板の一部又はカートリッジ本体の一部が位置するため、上記構成の駆動装置及び駆動方法を用いれば、遮光板とカートリッジ本体とのそれぞれの材質の違いに基づいて、カートリッジ本体の表面と裏面とを簡単に判別することができる。
【発明の効果】
【００２３】
本発明によれば、カートリッジの表面と裏面とを簡単に判別することができる、駆動装置、駆動方法、及び、感光性記録媒体用カートリッジを提供することができる。
【発明を実施するための最良の形態】
【００２４】
以下、本発明の各実施形態を図面に基づいて詳しく説明する。
＜第１実施形態＞
図１〜図３は、本発明の実施形態であるホログラム記録媒体用カートリッジ（以下、カートリッジと省略する）の外観形状を示す斜視図である。図１は、カートリッジの一方の面を上方にした状態を示す斜視図、図２は反対側の面を上方にした状態を示す斜視図、図３はシャッタが開き位置にあり、ディスク収容部に円板形状のホログラム記録媒体（以下、記録ディスクと称する）が回転自在に収容された状態を示す斜視図である。
【００２５】
図１から図３に示すように、カートリッジ２は、このカートリッジを取り扱うホログラム記録装置等に対し、矢印Ｃ方向から装填される。カートリッジ２の装填方向先端の両側面には、カートリッジ２がホログラム記録装置（駆動装置）の各種機器に装填された際に、各機器に設けられた位置決め部材が挿入される位置決め溝７,８が設けられている。
【００２６】
記録ディスク４は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。カートリッジ２は、記録ディスク４の両面の記録面に記録を行なうために、Ａ面（例えば、表面）２ａまたはＢ面（例えば、裏面）２ｂのいずれかを上にしてホログラム記録装置にセットされる。
【００２７】
カートリッジ２は、ディスク収容部３が設けられたカートリッジ本体１１と、このカートリッジ本体１１の外側を挟み込むようにして取り付けられる遮光板１２と、カートリッジ本体１１と遮光板１２との間に組み込まれるシャッタ１３とを備えている。遮光板１２の上下面には、略長方形の外部開口１４、１５が形成されている。これらの外部開口１４,１５は、シャッタ１３が閉じ位置にあるときに、第１シャッタ５５ａ,第２シャッタ５５ｂによって閉じられている。
【００２８】
図３に示すように、シャッタ１３が矢印Ｄ方向の開き位置に向けて移動すると、外部開口１４,１５とともに、外部開口１４,１５に対面するようにカートリッジ本体１１に設けられた、外部開口１４,１５と同形状の内部開口１８,１９が開放される。これにより、ディスク収容部３内に収容されている記録ディスク４の中心部４ａと、記録面４ｂとが外部に露呈される。
【００２９】
シャッタ１３は、内蔵するシャッタバネによって閉じ位置に付勢され、かつロック機構によって閉じ位置でロックされている。ロック機構の解除は、位置決め溝７内に突出されている第２のロック部材６４をカートリッジ２内に押し込み、その状態でカートリッジ２のＡ面２ａ及びＢ面２ｂの開口７３,７２から露呈されている第１のロック部材６３をカートリッジ装填方向の後端側にスライドさせる。このように、シャッタ１３は、２段階の操作を行なわなければ解除されないロック機構によって閉じ位置でロックされているため、シャッタ１３が不用意に開放されることはない。
【００３０】
図４は、カートリッジ２の構成を示す分解斜視図、図５は図４におけるII−II矢視断面図、図６は図４におけるIII−III矢視断面図である。また、図７（Ａ）はカートリッジの装填方向の断面図、（Ｂ）は（Ａ）の部分拡大図、（Ｃ）は（Ａ）の他の部分拡大図、図８はカートリッジの装填方向に直交する方向の断面図であり、（Ａ）はシャッタが閉じた状態の断面図、（Ｂ）はシャッタが開いた状態の断面図、図９は図８における円ＩＸで囲まれた部分の拡大図、図１０は図８における円Ｘで囲まれた部分の拡大図である。
【００３１】
図４に示すように、カートリッジ本体１１は、略板状の第１シェル２５と、この第１シェル２５に接合される第２シェル２６と、第１シェル２５と第２シェル２６との間に組み込まれてシャッタ１３のロックを行なうロック機構２７とから構成されている。
【００３２】
第１シェル２５と第２シェル２６は、例えば、遮光性物質と滑剤とが添加された同一または類似の熱可塑性プラスチックを用いて、射出成形により形成されている。カートリッジ２の端縁部の拡大した断面図である図７（Ｃ）に示すように、第１シェル２５の内面には、記録ディスク４の外径よりも大きな径で形成された突条である第１の遮光壁３０と、この第１の遮光壁３０の外側に設けられた第２の遮光壁３１と、端縁全周に設けられた突条３２とが設けられている。第１の遮光壁３０の内側には、記録ディスク４の中心部４ａと記録面４ｂとを外部に露呈させる内部開口１８が設けられている。
【００３３】
第２シェル２６の内面には、記録ディスク４の外径よりも大きな径で形成された突条であり、第１シェル２５の第１の遮光壁３０と第２の遮光壁３１との間に挿入される第３の遮光壁３５と、端縁全周に設けられた突条３６とが設けられている。第３の遮光壁３５の内側には、記録ディスク４の中心部４ａと記録面４ｂとを外部に露呈させる内部開口１９が設けられている。
【００３４】
第２シェル２６の第３の遮光壁３５の内側に記録ディスク４を乗せ、第１シェル２５を第２シェル２６の上面に重ね合わせると、第３の遮光壁３５が第１の遮光壁３０と第２の遮光壁３１との間に挿入され、第３の遮光壁３５の先端が第１シェル２５の内面２５ｄに当接する。ディスク収容部３は、これらの遮光壁３０、３１、３５と、第１シェル２５及び第２シェル２６の内面とによって形成される。ディスク収容部３の側壁は、３枚の遮光壁３０，３１，３５が入り組んで形成されたラビリンス状の遮光構造となる。そのため、第１シェル２５及び第２シェル２６の合せ目から光や塵芥が入り込んでも、これらがディスク収容部３内にまで進入することはない。
【００３５】
また、第２シェル２６の第３の遮光壁３５の先端は、超音波溶着によって第１シェル２５の内面２５ｄに固着される。これにより、第１シェル２５と第２シェル２６とが強固に接合されるため、両者の合せ目に隙間が開くようなことはない。
【００３６】
図４および図７から図１０に示すように、第１シェル２５及び第２シェル２６の外面には、遮光板１２の形状より僅かに大きく、且つ遮光板１２の厚み以上の深さの段差部２５ｄ,２６ｄを有し、内側にオフセットさせた遮光板取付面２５ａ,２６ａが形成されている。
【００３７】
遮光板１２の材質には、遮光性、耐食性、装飾性、加工性を得ることができ、かつ軽量で強度のあるものとして、例えばアルミニウム合金が用いられている。なお、遮光板１２はプラスチックで形成してもよいが、遮光性と、シャッタ１３の滑り性とを確保するために、遮光性物質と滑剤とが添加されたプラスチックを用いるとよい。本発明において、遮光板の材質は、カートリッジ本体を構成する第１シェル２５及び第２シェル２６の材質と異なる材質を使用する。ここで、異なる材質とは、同じ材料を含んでいてもその添加量が異なっているものも含む意味である。つまり、後述する検出部材によって検出光を照射した際に、反射光がその材質の相違に基づいて異なる検出値として検出することができる範囲で、添加量のみを変えることで同じ材料を用いてもよい。
【００３８】
図４から図６に示すように、遮光板１２は、アルミニウム合金の薄板に外部開口１４,１５と、シャッタ１３の移動範囲を得るための切欠４０とを形成し、断面が略コ字形状となるように屈曲させたものである。これにより、遮光板１２には、外部開口１４,１５をそれぞれ有する第１の板部１２ａ及び第２の板部１２ｂと、切欠４０を有し第１の板部１２ａと第２の板部１２ｂとを連設させる第３の板部１２ｃとが設けられている。
【００３９】
第３の板部１２ｃと第１の板部１２ａ及び第２の板部１２ｂとの稜線部、およびカートリッジ２の装填方向Ｃ両側の２辺と装填方向Ｃと直交する方向の１辺との各交差部には切り込みが入れられて、第１の板部１２ａ及び第２の板部１２ｂの外周端部が互いに接近する方向（換言すれば、カートリッジ本体１１に取り付けられたときカートリッジ本体１１に向かう方向）に略ヘの字形に曲げられている。これにより、第１の板部１２ａ及び第２の板部１２ｂの外周端部には、略ヘの字形の屈曲部１２ｄが形成されている。この屈曲部１２ｄは、外周端部の３辺すべてに形成するのが遮光性能上から望ましいが、これに限定されない。
【００４０】
遮光板１２は、第１の板部１２ａ及び第２の板部１２ｂでカートリッジ本体１１のＢ面２ｂ及びＡ面２ａとを挟み込み、かつ第３の板部１２ｃでカートリッジ本体１１の装填方向Ｃの先端を覆うようにして、カートリッジ本体１１の遮光板取付面２５ａ,２６ａに取り付けられる。遮光板取付面２５ａ,２６ａは、遮光板１２の厚み以上の深さで内側にオフセットされているので、カートリッジ本体１１に取り付けられた遮光板１２の外面は、カートリッジ２の表面から突出することはない。また、図７から図１０に示すように、第１の板部１２ａ及び第２の板部１２ｂの各屈曲部１２ｄの先端は、それぞれ第１シェル２５及び第２シェル２６の段差部２５ｄ,２６ｄに対向して位置する。
【００４１】
図４に示すように、遮光板１２の第１の板部１２ａ及び第２の板部１２ｂの外周には、略等間隔で小さな穴４９が形成されている。また、第１シェル２５及び第２シェル２６の遮光板取付面２５ａ,２６ａには、遮光板１２の穴４９に対応する位置に、遮光板１２の厚みよりも僅かに長いピン５０が一体に形成されている。
【００４２】
図７から図１０に示すように、遮光板１２がカートリッジ本体１１の外側（遮光板取付面２５ａ,２６ａ）に取り付けられると、第１シェル２５及び第２シェル２６のピン５０が穴４９に挿入され、遮光板１２の表面から突出される。遮光板１２は、その弾性力に抗して屈曲部１２ｄの先端部が遮光板取付面２５ａ,２６ａに押圧されながら、各ピン５０の先端が熱で潰されることによりカートリッジ本体１１に固着される。
【００４３】
これにより、遮光板１２の各屈曲部１２ｄの先端は、それぞれ段差部２５ｄ,２６ｄに対向して位置すると共に、遮光板１２の弾性力により遮光板取付面２５ａ,２６ａに押圧されて隙間なく当接する。即ち、遮光板１２の外周端部（各屈曲部１２ｄの先端）と遮光板取付面２５ａ,２６ａは隙間がない状態で密着する。更に、遮光板１２の外周端部は、段差部２５ｄ,２６ｄにより覆われるので、例え、部品精度誤差などに起因して部分的に隙間があっても確実に光の回り込みを防止して遮光する。
【００４４】
なお、遮光板１２のカートリッジ本体１１への固着方法としては、これ以外に、接着剤や両面テープ、ねじ止め等を用いることができる。また、遮光板１２をプラスチックで形成した場合には、各種溶着を用いることもできる。
【００４５】
図４に示すように、シャッタ１３は、遮光性を有する薄板を略コ字形状となるように屈曲させたシャッタ部材５５と、このシャッタ部材５５に取り付けられる細長い板状のスライド部材５６とからなる。シャッタ部材５５は、遮光板１２と同様の理由により、例えば、アルミニウム合金で形成されている。なお、シャッタ部材５５もプラスチックで形成してよいが、やはり、遮光性と滑り性とを確保するために、遮光性物質と滑剤とが添加されたプラスチックを用いるとよい。スライド部材５６は、遮光性物質と滑剤とが添加されたプラスチックで形成されている。
【００４６】
シャッタ部材５５は、第１シェル２５の外面と遮光板１２の第１の板部１２ａとの間に挿入される第１シャッタ５５ａと、第２シェル２６の外面と遮光板１２の第２の板部１２ｂとの間に挿入される第２シャッタ５５ｂと、これら第１シャッタ５５ａと第２シャッタ５５ｂとを連設するとともに、スライド部材５６が取り付けられる連設部５５ｃとを備えている。
【００４７】
第１シェル２５と第２シェル２６との外面には、遮光板取付面２５ａ,２６ａの内側に、シャッタ部材５５の厚み以上の深さで内側にオフセットさせたシャッタ摺動面２５ｂ,２６ｂが形成されている。これにより、シャッタ１３はカートリッジ本体１１と遮光板１２との間をスムースに移動することができるため、移動による切屑等の発生を抑えることができる。なお、シャッタ摺動面２５ｂ,２６ｂは、入射した光を拡散するために、粗面にしてもよい。同様に遮光板１２の内面、及びシャッタ１３の内面及び外面も粗面にしてもよい。
【００４８】
スライド部材５６は、上面がカートリッジ本体１１の装填方向先端面から露出されるように、第１シェル２５と第２シェル２６との間にスライド自在に組み込まれる。スライド部材５６の上面端部には、シャッタ部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッタ部材５５とスライド部材５６とを固着する。なお、この固着にも接着剤や両面テープ等を用いてもよいし、シャッタ部材５５をプラスチックで形成する場合には、各種溶着を使用してもよい。また、ねじ止めを用いてもよい。
【００４９】
図７（Ｂ）及び図１１に示すように、スライド部材５６の側面には、長手方向に沿って溝５６ｃが形成されている。この溝５６ｃには、第１シェル２５及び第２シェル２６の装填方向先端側の内面に設けられた突条２５ｃ,２６ｃが挿入される。この溝５６ｃと突条２５ｃ,２６ｃとにより、スライド部材５６はカートリッジ本体１１から外れることなく、スライド移動することができるようになる。
【００５０】
スライド部材５６の他方の上面端部には、シャッタ１３を開く際に操作される被操作部５６ｄが一体に形成されている。この被操作部５６ｄは、シャッタ部材５５に対し、スライド部材５６をシャッタの閉じ方向に伸ばすように設けたことにより、遮光板１２の第３の板部１２ｃに隠れることなく外部に露出されている。遮光板１２の第３の板部１２ｃの切欠４０は、シャッタ１３が開き位置に移動した際に、被操作部５６ｄとの干渉を避けるために設けられている（図３参照）。
【００５１】
シャッタ１３は、シャッタバネ５９により閉じ方向に付勢されている。シャッタバネ５９は、例えば、捩じりコイルバネからなり、その両端は、スライド部材５６と、第１シェル２５の内面とに係止されている。
【００５２】
スライド部材５６には、被操作部５６ｄに隣接して矩形孔形状の被ロック溝５６ｅが形成されている。スライド部材５６の長手方向における被ロック溝５６ｅの外側の側面は、カートリッジ２の装填方向Ｃ前方に向かうに従って次第にスライド部材５６の他端側（シャッタの閉じ方向）に傾斜する係合傾斜面（係合部）５６ｆが形成されている（図１２参照）。また、スライド部材５６の図中右端面と下面との角部は、係合傾斜面５６ｆと略平行に面取りされて案内傾斜面５６ｇが形成されている。
【００５３】
本実施形態のカートリッジ２は、上述のように、シャッタ１３をカートリッジ本体１１の一方（図１中矢印Ｄ方向）にスライドさせる構成であるため、シャッタ１３の開き位置から閉じ位置に至る領域を覆うように遮光板１２がカートリッジ本体１１に取り付けられている。このため、例えば図１を参照すると、遮光板１２はカートリッジ本体１１に対して非対称となるように設けられている。具体的には、図１及び図２に示すように、カートリッジ本体１１において矢印Ｄ方向の中心を通り且つ矢印Ｃ方向に平行な基準線を想定した場合、遮光板は基準線に対して矢印Ｄ方向側に偏って配置されるように設けられている。
【００５４】
次にロック機構について、図１１から図１３に基づいて説明する。図１１はロック機構の構成を示す分解斜視図、図１２は図１１に示すロック機構の動作説明図、図１３はシャッタを開放するための各種機構の一例を示す説明図である。
【００５５】
図１１に示すように、ロック機構２７は、シャッタ１３を閉じ位置でロックする第１のロック部材６３と、この第１のロック部材６３の移動をロックする第２のロック部材６４と、第２のロック部材６４を図中反時針方向、及び上方に向けて付勢するロックバネ６５とから構成されている。
【００５６】
第１のロック部材６３は、スライド部材５６に形成された被ロック溝５６ｅに係合してシャッタ１３を閉じ位置でロックするロック爪６３ａと、このロック爪６３ａと一体に設けられた矩形の摺動部６３ｂと、この摺動部６３ｂの第２シェル２６に対する面に形成された円柱形状のボス６３ｃと、このボス６３ｃと摺動部６３ｂとに貫通して形成された操作穴６３ｄとからなる。
【００５７】
ロック爪６３ａの図中左側には、シャッタ１３が開き位置から閉じ位置に移動する際に、被ロック溝５６ｅとの係合を誘うための斜面６３ｅが、スライド部材５６の係合傾斜面５６ｆと略平行に形成されている。また、ロック爪６３ａの図中右側には、被ロック溝５６ｅの係合傾斜面５６ｆと略平行な傾斜面であるフック部６３ｆが形成されており、スライド部材５６が図中左方向（シャッタ１３が開く方向）に移動すると、フック部６３ｆが係合傾斜面５６ｆと係合して該移動を確実に阻止するようになっている。
【００５８】
第２のロック部材６４は、第１のロック部材６３のボス６３ｃの外周に回動自在に挿入される穴６４ａを備えたリンク部６４ｂと、このリンク部６４ｂと一体に設けられ、ボス６３ｃを中心に回動する回動部６４ｃと、この回動部６４ｃの側面から垂直に立設された被押圧片６４ｄと、ロックバネ６５の一端が係止されるバネ係止部６４ｅとからなる。
【００５９】
第１のロック部材６３は、図１２（Ａ）に示すように、スライド部材５６の被ロック溝５６ｅの係合傾斜面５６ｆにロック爪６３ａのフック部６３ｆが係合する第１のロック位置と、同図（Ｃ）に示すように、下方にスライドして被ロック溝５６ｅとの係合を解除する第１の解除位置との間で移動される。
【００６０】
尚、図１２（Ａ）に示す第１のロック位置においては、ロック爪６３ａのフック部６３ｆの右端部と、被ロック溝５６ｅの係合傾斜面５６ｆの左端部とは、同一垂直線上、または水平方向に僅かな隙間をもって配置されている。換言すれば、この状態においては、フック部６３ｆと係合傾斜面５６ｆとは係合しておらず、第１のロック部材６３は下方に移動可能である。
【００６１】
しかし、スライド部材５６が僅かに図中左方向に移動すると、係合傾斜面５６ｆがフック部６３ｆと確実に係合してスライド部材５６の移動を阻止する。尚、スライド部材５６が左方向に移動すると、シャッタ１３も開く方向に移動するが、係合傾斜面５６ｆがフック部６３ｆと係合するまでの移動距離は、内部開口１８,１９周辺におけるカートリッジ本体１１とシャッタ１３とのオーバーラップ量に比較して遥かに少なく、内部開口１８,１９が開放されることはない。
【００６２】
第２のロック部材６４は、同図（Ａ）に示すように、ロックバネ６５に付勢されて垂直状態となり、被押圧片６４ｄを位置決め溝７内の切欠６７から突出させる第２のロック位置と、同図（Ｂ）に示すように、図中に時計方向に回動する第２の解除位置との間で移動される。
【００６３】
第１シェル２５の内面には、第１のロック部材６３の摺動部６３ｂが上下方向で摺動自在に挿入される矩形の摺動枠６９と、第２のロック部材６４の回動部６４ｃの一方の側面と底面とを受け止めて図中反時計方向への回動と下方へのスライドとを阻止する規制片７０と、ロックバネ６５の他端が係止されるボス７１とが形成されている。摺動枠６９には、第１のロック部材６３の操作穴６３ｄを第１シェル２５の外面から外部に露呈させる開口７２が形成されている。また、第２シェル２６にも同様に操作穴６３ｄを外部に露呈させる開口７３が、開口７２に対面する位置に形成されている。
【００６４】
図１２（Ａ）は、不使用時のカートリッジ２のロック機構２７の状態を示している。第２のロック部材６４は、ロックバネ６５により上方に付勢されているため、第１のロック部材６３のロック爪６３ａは、スライド部材５６の被ロック溝５６ｅ中に入り込んでいる。これにより、シャッタ１３を閉じ位置から開き位置にスライドさせようとすると、被ロック溝５６ｅの係合傾斜面５６ｆとロック爪６３ａのフック部６３ｆとが係合してシャッタ１３がスライドすることはない。係合傾斜面５６ｆとフック部６３ｆとは、その傾斜方向が、スライド部材５６がシャッタ１３を開く方向に移動すると更に互いに噛み合わされる形状となっているので、係合傾斜面５６ｆとフック部６３ｆの係合力はスライド部材５６が移動すると更に強まり、スライド部材５６の移動は確実に阻止されてシャッタ１３が閉位置でロックされる。
【００６５】
また、第１シェル２５及び第２シェル２６に設けられた開口７２,７３から、第１のロック部材６３の操作穴６３ｄに棒などを挿入してスライドさせようとしても、第２のロック部材６４の底面が規制片７０に当接するため、やはりロックは解除されない。
【００６６】
図１３に示すように、カートリッジ２を装填して使用されるホログラム記録装置内には、例えば、１対の位置決め部材７７ａ,７７ｂと、第１のロック部材６３を操作するロック解除機構７８と、シャッタ１３を開き位置と閉じ位置との間でスライドさせるシャッタスライド機構８０とが組み込まれている。一対の位置決め部材７７ａ,７７ｂは、装填されたカートリッジ２の両側面の位置決め溝７,８に係合して、カートリッジ２の挿入方向、及びこの挿入方向に直交する方向でカートリッジ２を位置決めする。
【００６７】
ロック解除機構７８は、カートリッジ２の開口７３から第１のロック部材６３の操作穴６３ｄに挿入される係合ピン７９ａと、この係合ピン７９ａを第１のロック部材６３のロック解除方向にスライドさせるスライド機構とを備えている。なお、記録ディスク４は両面への記録が可能であるため、カートリッジ２は、Ａ面２ａまたはＢ面２ｂのいずれもが上方に向けられて装置にセットされるが、装填面が異なると、ロック機構２７の位置が左右で反転する。そのため、ロック解除機構７８は、カートリッジ２が反転して装填された場合でも操作穴６３ｄに係合できるように、反転装填時用の係合ピン７９ｂを備えている。係合ピン７９ａ,７９ｂは、同時に矢印方向に移動される。なお、一方の係合ピンが操作穴６３ｄに係合している際に、他方の係合ピンが邪魔になるため、係合ピン７９ａ,７９ｂは、カートリッジ２に当接した時に引っ込むような構造にするとよい。
【００６８】
シャッタスライド機構８０は、スライド部材５６の被操作部５６ｄの外側に当接する操作片８０ａと、この操作片８０ａをシャッタ１３のスライド方向にスライドさせるスライド機構とを備えている。このシャッタスライド機構８０も、カートリッジ２の反転挿入に対応するためにもう一つの操作片８０ｂを備えており、操作片８０ａ,８０ｂは同時に矢印方向に移動される。
【００６９】
カートリッジ２が上記ホログラム記録装置に装填されると、図１２（Ｂ）に示すように、位置決め部材７７ａが位置決め溝７に挿入される。また、装置内に設けられたロック解除機構７８の係合ピン７９ａが第１のロック部材６３の操作穴６３ｄに挿入され、シャッタスライド機構８０の操作片８０ａが、スライド部材５６の被操作部５６ｄの外側に配置される。位置決め部材７７ａは、第２のロック部材６４の被押圧片６４ｄをロックバネ６５の付勢に抗して押庄する。第２のロック部材６４は、リンク部６４ｂを中心に時計方向に回動して、回動部６４ｃの底面が規制片７０から離れるため、第１のロック部材６３の下方へのスライドが可能となる。
【００７０】
同図（Ｃ）に示すように、ロック解除機構７８は、係合ピン７９ａを解除方向にスライドさせて、ロック爪６３ａを被ロック溝５６ｅから抜き去り、係合を解除する。その後、シャッタスライド機構８０が操作片８０ａを図中左方の開き方向に向けてスライドさせることで、シャッタ１３が開放される。このように、ロック機構２７は、第２のロック部材６４を回動させ、更に第１のロック部材６３をスライドさせなければ解除されないため、シャッタ１３が不用意に開放されるのを効果的に防止することができる。
【００７１】
次に、本発明に係る駆動装置及び駆動方法について説明する。
図１３に示すように、本発明に係る駆動装置は、カートリッジ本体１１の一部を検出する検出部材９０を備えている。検出部材９０は、反射型検出部９１を備え、反射型検出部９１から検出光を検出領域Ｓに照射し、該検出領域Ｓで反射した光を反射型検出部９１によって検出する。そして、検出領域Ｓに位置する部材の材質の相違によって検出領域Ｓで反射した光が異なることに基づき、検出部材９０は、検出領域Ｓに位置する部材、つまり、本実施形態のカートリッジ２においては、遮光板１２とカートリッジ本体１１とを区別することができる。こうして、検出領域Ｓに位置する部材に基づいて、カートリッジ本体１１の表面と裏面との判別を行う。
【００７２】
検出部材９０は、カートリッジ本体１１の面上に規定した検出領域Ｓが該カートリッジ本体１１の表面及び裏面を反転させて状態で同じ位置となり、例えば図１に示すように一方の面（本実施形態では裏面）で遮光板１２の一部が配置された部位を検出し、かつ、図２に示すように他方の面（本実施形態では表面）でカートリッジ本体１１の一部が配置される部位を検出することで、カートリッジ本体の表面と裏面とを判別する。
【００７３】
本発明に係る駆動装置は、記録再生のために装填されたカートリッジ本体１１の一部を検出部材９０で検出するものである。また、装填されるカートリッジ２は、カートリッジ本体１１に対して非対称となる位置に遮光板１２が設けられている。駆動装置は、カートリッジ本体１１を検出する際に、該カートリッジ本体１１に対して非対称となる位置に設けられた遮光板１２における、非対称の部位を検出領域Ｓとする。すると、カートリッジ本体１２の表面と裏面とのうち一方の面では検出領域Ｓに遮光板１２が位置し、他方の面ではカートリッジ本体１２が位置する。そして、カートリッジ２を反転させて駆動装置に装填すると、同一の検出領域Ｓによって検出される部材が異なる。ここで、遮光板１２がカートリッジ本体１１とは異なる材質で構成されているため、材質の違いに基づいて検出値が異なる特性を有する検出部を使用することで、遮光板１２とカートリッジ本体１１とを区別することができ、すなわち、カートリッジ本体１１の表面と裏面とを判別することができる。こうすれば、カートリッジ２に表面と裏面とをそれぞれ判別するための部材を設ける必要がなく、カートリッジ２の表面と裏面とを簡単に判別することができる。
【００７４】
また、本発明に係るカートリッジ２は、カートリッジ本体１１の面上に検出領域Ｓが規定され、カートリッジ本体１１の表面及び裏面を反転させた状態で、表面及び裏面のうち一方の面では検出領域Ｓに遮光板１２が配置され、他方の面では検出領域Ｓにカートリッジ本体１１が配置される構成である。このため、上記の駆動装置及び駆動方法を用いれば、遮光板１２とカートリッジ本体１１とのそれぞれの材質の違いに基づいて、カートリッジ本体１１の表面と裏面とを簡単に判別することができる。
【００７５】
上側シェル及び下側シェルの成形に用いる熱可塑性プラスチックには、PBT、ＡＢＳ、ＰＯＭ、ＰＳ、ＰＰ、ＨＤＰＥ、ＰＡ、ＰＥＴ、ＰＰＳ、ＳＡＮ（スチレン−アクリルロニトル共重合）、ＰＭＭＡ、ＰＣ等を用いることができる。また、超音波溶着による誤溶着防止のために、上側シェル及び下側シェル以外の部品については、上記熱可塑性プラスチックの中から、上側シェル及び下側シェルに使用したものと異なるものを選択するとよい。
【００７６】
上側シェル及び下側シェルには、厚み０．２ｍｍにおいて可視光線透過率が１．０％以下の遮光性を有するプラスチックを使用し、必要な物理的強度を得るために、その肉厚を０．２〜１．６ｍｍの範囲で形成するのが好ましい。上記遮光性を有するプラスチックを得るには、遮光性物質を添加するとよい。遮光性物質としては、種々のものを用いることができ、使用する遮光性物質に応じて０．０１〜５．００重量％を添加するのが好ましい。遮光性物質としては、以下のようなものが挙げられる。
【００７７】
（１）無機化合物
Ａ．酸化物・・・シリカ、ケイ藻土、アルミナ、酸化チタン、酸化鉄（鉄黒）、酸化亜鉛、酸化マグネシウム、酸化アンチモン、バリウムフェライト、ストロンチウムフェライト、酸化ベリリウム、軽石、軽石バルーン、アルミナ繊維等
Ｂ．水酸化物・・・水酸化アルミニウム、水酸化マグネシウム、塩基性炭酸マグネシウム等
Ｃ．炭酸塩・・・炭酸カルシウム、炭酸マグネシウム、ドロマイト、ドーソナイト等
Ｄ．（亜）硫酸塩、・・・硫酸カルシウム、硫酸バリウム、硫酸アンモニウム、亜硫酸カルシウム等
Ｅ．ケイ酸塩・・・タルク、クレー、マイカ、アスベスト、ガラス繊維、ガラスバルーン、ガラスビーズ、ケイ酸カルシウム、モンモリロナイト、ベントナイト等
Ｆ．炭素・・カーボンブラック、グラファイト、炭素繊維、炭素中空球等
Ｇ．その他・・・鉄粉、銅粉、鉛粉、アルミニウム粉、硫化モリブデン、ポロン繊維、炭化ケイ素繊維、黄銅繊維、チタン酸カリウム、チタン酸ジルコン酸鉛、ホウ酸亜鉛、メタホウ酸バリウム、ホウ酸カルシウム、ホウ酸ナトリウム、アルミニウムペースト、タルク等
（２）有機化合物
木粉（松、樫、ノコギリクズなど）、穀繊維（アーモンド、ピーナッツ、モミ殻など）、木綿、ジュート、紙細片、非木材繊維（ワラ、ケナフ、竹、エスパルト、パガス、モロヘイヤ、煙火など）、セロハン片、ナイロン繊維、ポリプロピレン繊維、デンプン（変性デンプン、表面処理デンプンも含む）、芳香族ポリアミド繊維等
【００７８】
これらの遮光性物質に中で、写真性に悪影響を及ぼすことが少なく、１５０℃以上でも熱に安定で不透明化する無機化合物が好ましく、特に、耐熱性、耐光性が優れ比較的不活性な物質である、光吸収性のカーボンブラックと窒化チタンとグラファイト及び鉄黒が好ましい。
【００７９】
遮光性物質としてカーボンブラックを使用する場合には、その添加量を０．０１〜２．００重量％とするのが好ましい。上述したように、遮光性及び物理強度のバランスがよいプラスチックを得るためである。
【００８０】
カーボンブラックの原料による分類例をあげるとガスブラック、ファーネスプラック、チャンネルブラック、アントランセンブラック、アセチレンブラック、ケッチェンカーボンプラック、サーマルブラック、ランプブラック、油煙、松煙、アニマルプラック、ベジタブルブラック等がある。
【００８１】
好ましいカーボンブラッグの市販品の代表例としては、例えば三菱化成製のカーボンブラック＃２０（Ｂ）、＃３０（Ｂ）、＃３３（Ｂ）、＃４０（Ｂ）、＃４１（Ｂ）、＃４４（Ｂ）、＃４５（Ｂ）、＃５０、＃５５、＃１００、＃６００、＃９５０、＃１０００、＃２０００（Ｂ）、＃２４００（Ｂ）、ＭＡ８、ＭＡ１００等が挙げられる。また、電気化学製のデンカブラック、東海カーボンのシースト、旭カーボンの旭＃７８、昭和キャボネットのショウワブラック、新日鉄化学のニテロン、三菱化学のダイヤモンドブラック等の各種グレードのものも用いることができる。
【００８２】
海外の製品としては、例えばキャボネット社のＢｌａｃｋ  Ｐｅａｒｌｓ  ２、４６、７０、７１、７４、８０、８１、６０７等、Ｒｅｇａｌ１３００、３３０，４００，６６０、９９１、ＳＲＦ−Ｓ等、Ｖｕｌｃａｎ  ３、６等、Ｓｔｅａｒｌｉｎｇ１０、ＳＯ、Ｖ、Ｓ、ＦＴ−ＦＦ、ＭＴ−ＦＦ等が挙げられる。
【００８３】
さらにアシュランドケミカル社のＵｎｉｔｅｄ  Ｒ、ＢＢ，１５，１０２，３００１，３００４，３００６，３００７，３００８、３００９，３０１１，３０１２、ＸＣ−３０１６、ＸＣ−３０１７、３０２０等が挙げることができるが、本発明は、これらに限定されるものではない。
【００８４】
また、上側シェル及び下側シェルと、シャッタとに添加する滑剤としては、シリコーン系滑剤、特に各種グレードのジメチルポリロキサンを使用することができ、東レ、ダウコーニング、シリコーン、ＧＥ東芝シリコーン、旭化成ワッカーシリコーン、信越化学等から市販されている各種グレードのものを使用することができる。なお、マスターバッチ、練りこみ品のどちらでも使用可能である。なお、シリコーン系滑剤の添加量としては、０．１〜５．０重量％が好ましい。上述したように、摩擦抵抗と、製品品質、製造適正のバランスのよいプラスチックを得るためである。
【００８５】
また、シェルに設ける粗面としては、表面粗さＲａ：５μｍ以下だと光拡散効果が薄く、２０μｍ以上だと記録ディスクとの接触面に傷を発生させるおそれがある。そのため、表面粗さＲａ：５〜２０μｍのマット加工、またはシボ加工が好ましい。
【００８６】
また、上側シェルと下側シェルとの固着に超音波溶着を用いたが、その他の溶着方法及び固着方法を用いてもよい。例えば、ネジなどで固着する場合には、ネジ穴の周囲にも遮光構造を形成するのが好ましい。
【００８７】
更に、両面に記録が可能な記録ディスクを収容するカートリッジを例に説明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカートリッジやその駆動装置にも本発明を適用することができる。
【図面の簡単な説明】
【００８８】
【図１】本発明を実施したカートリッジの外観形状を示す斜視図である。
【図２】カートリッジの反対側の面を示す外観斜視図である。
【図３】カートリッジのシャッタ開放状態を示す外観斜視図である。
【図４】カートリッジの構成を示す分解斜視図である。
【図５】図４におけるＶ−Ｖ矢視断面図である。
【図６】図４におけるＶＩ−ＶＩ矢視断面図である。
【図７】カートリッジの装填方向の断面図であり、（Ａ）は全体図、（Ｂ）は要部拡大図、（Ｃ）は他の要部拡大図である。
【図８】カートリッジの装填方向に直交する方向の断面図であり、（Ａ）はシャッタが閉じた状態の断面図、（Ｂ）はシャッタが開いた状態の断面図である。
【図９】図８における円ＩＸで囲まれた部分の拡大図である。
【図１０】図８における円Ｘで囲まれた部分の拡大図である。
【図１１】第１実施形態に係り、ロック機構の構成を示す分解斜視図である、
【図１２】図１１に示すロック機構の動作説明図である。
【図１３】駆動装置の機構の一例を示す説明図である。
【符号の説明】
【００８９】
２           カートリッジ（感光性記録媒体用カートリッジ）
４           記録ディスク（感光性記録媒体、ホログラム記録媒体）
４ａ         感光性記録媒体の中心
４ｂ         感光性記録媒体の記録面
１１         カートリッジ本体
１３         シャッタ
１８         内部開口（開口）
１９         内部開口（開口）
５６         スライド部材
５６ｆ       係合傾斜面（係合部）
５６ｇ       面取り部
６３         ロック部材
６３ｅ       斜面
６３ｆ       フック部（係止部）
【図１】
2007066387.tif 000003
【図２】
2007066387.tif 000004
【図３】
2007066387.tif 000005
【図４】
2007066387.tif 000006
【図５】
2007066387.tif 000007
【図６】
2007066387.tif 000008
【図７】
2007066387.tif 000009
【図８】
2007066387.tif 000010
【図９】
2007066387.tif 000011
【図１０】
2007066387.tif 000012
【図１１】
2007066387.tif 000013
【図１２】
2007066387.tif 000014
【図１３】
2007066387.tif 000015